(57)【要約】【課題】洗濯仕上がり性能（生乾き臭やカビ臭等の、異臭抑制・防止性能）を向上させた洗濯機を提供することを課題とする。【解決手段】衣類を収容する収容槽４１と、収容槽４１の外周を覆い収容槽４１を回転自在に支持して洗濯水を貯蔵する洗濯槽４４と、洗濯槽４４への洗濯水の供給を制御する制御弁５８、８９と、香り成分を収納する香り成分収納箱９０とを備え、香り成分収納箱９０を制御弁５８、８９と洗濯槽４４を連結する連結経路に配設し、すすぎ行程において制御弁５８、８９を制御することにより、香り成分収納箱９０内の香り成分を洗濯槽４４に供給するもので、洗濯仕上がり性能（生乾き臭やカビ臭等の、異臭抑制性能）を向上させた洗濯機を提供することができる。【選択図】図１
2018046886.tif 000002
【特許請求の範囲】
【請求項１】
衣類を収容する収容槽と、前記収容槽の外周を覆い前記収容槽を回転自在に支持して洗濯水を貯蔵する洗濯槽と、前記洗濯槽への洗濯水の供給を制御する制御弁と、香り成分を収納する香り成分収納箱とを備え、前記香り成分収納箱を前記制御弁と前記洗濯槽を連結する連結経路に配設し、すすぎ行程において前記制御弁を制御することにより、前記香り成分収納箱内の香り成分を前記洗濯槽に供給することを特徴とする洗濯機。
【請求項２】
前記連結経路の内径を一部細くしたことを特徴とする請求項１記載の洗濯機。
【請求項３】
前記連結経路の前記香り成分収納箱と前記洗濯槽との間の部分に、前記洗濯槽から前記香り成分収納箱方向への流れを阻止できる逆止弁を設けたことを特徴とする請求項１または２記載の洗濯機。
【発明の詳細な説明】
【技術分野】
【０００１】
本発明は、衣類を洗濯、脱水及び／又は乾燥するための洗濯機に関する。
【背景技術】
【０００２】
従来、この種洗濯機として、洗剤を投入する洗剤ケースを備え、運転開始に先立ち前記洗剤ケース内に洗剤や、仕上剤等を予め投入する構成を備えたドラム式洗濯機が開発されている（例えば、特許文献１参照）。
【０００３】
図６は、特許文献１に記載された従来のドラム式洗濯機の縦断面図である。図６に示すように、ドラム式洗濯機１０１は、洗濯機筐体１０２内に、図示しないサスペンション構造によって水槽１０３が宙吊り状態に配設され、水槽１０３内に有底円筒形に形成された回転ドラム１０４が配設されている。回転ドラム１０４は水槽１０３の背面側に取り付けられたモータ１０６によって正転及び逆転方向に回転駆動される。
【０００４】
洗濯機筐体１０２の上部に、洗剤を収容する洗剤収容容器１２１と、給水配管に接続されて洗剤収容容器１２１に給水する給水路１３１と、断面略コ字状に形成され、上面に注水蓋体１３０を固定するとともに、注水蓋体１３０との間に形成された空間に洗剤収容容器１２１を引き出し自在に収容する洗剤投入部枠体１４０とを備えた洗剤投入部１２０が配設され、洗剤投入部枠体１４０は、下面の洗剤液供給路１４１で前記水槽１０３に給水経路１２６で通水可能に配管される。
【０００５】
このように構成された洗剤投入部１２０には、洗い行程やすすぎ行程において、注水蓋体１３０の下面に形成した複数個の透孔である注水口（図示せず）から洗剤収容容器１２１に注水され、収容された洗剤や仕上げ剤が水によって希釈拡散されて洗剤投入部枠体１４０、洗剤液供給路１４１および給水経路１２６を通じて、水槽１０３に送給される。
【先行技術文献】
【特許文献】
【０００６】
【特許文献１】特開２０１２−７５６８６号公報
【発明の概要】
【発明が解決しようとする課題】
【０００７】
しかしながら、前記従来の構成では、衣類が収容されたドラム内に洗剤や仕上剤を供給する構成のため、衣類を洗濯した後も雑菌が残存していることは今までも知られており、それらが残存汚れを分解すること等によって、洗濯後もドラム内の雑菌や、洗剤・仕上剤残り等による生乾き臭やカビ臭等の異臭の発生が懸念されている。従って、特許文献１に記載されたような従来の洗濯機は、異臭抑制・防止の構成にすることが要望されている。
【０００８】
本発明は、上記従来の課題を解決するもので、洗濯終了時の異臭を抑制し、洗濯仕上がり性能を向上させた洗濯機を提供することを目的とする。
【課題を解決するための手段】
【０００９】
前記従来の課題を解決するために、本発明の洗濯機は、衣類を収容する収容槽と、前記収容槽の外周を覆い、前記収容槽を回転自在に支持して洗濯水を貯蔵する洗濯槽と、前記洗濯槽への洗濯水の供給を制御する制御弁と、香り成分を収納する香り成分収納箱とを備え、前記香り成分収納箱を、前記制御弁と前記洗濯槽を連結する連結経路に配設し、すすぎ行程において前記制御弁を制御することにより、前記香り成分収納箱内の香り成分を前
記洗濯槽に供給するものであり、洗濯終了時に異臭の抑制が可能になる。
【発明の効果】
【００１０】
本発明に係る洗濯機は、洗濯終了時の異臭を抑制し、洗濯仕上がり性能を向上させた洗濯機を実現することができる。
【図面の簡単な説明】
【００１１】
【図１】本発明の実施の形態１におけるドラム式洗濯機の縦断面図
【図２】同ドラム式洗濯機の洗剤収容容器部分の斜視図
【図３】同ドラム式洗濯機の洗剤収容容器部分の断面図
【図４】本発明の実施の形態２におけるドラム式洗濯機の縦断面図
【図５】本発明の実施の形態３におけるドラム式洗濯機の縦断面図
【図６】従来のドラム式洗濯機の縦断面図
【発明を実施するための形態】
【００１２】
第１の発明は、衣類を収容する収容槽と、前記収容槽の外周を覆い前記収容槽を回転自在に支持して洗濯水を貯蔵する洗濯槽と、前記洗濯槽への洗濯水の供給を制御する制御弁と、香り成分を収納する香り成分収納箱とを備え、前記香り成分収納箱を前記制御弁と前記洗濯槽を連結する連結経路に配設し、すすぎ行程において前記制御弁を制御することにより、前記香り成分収納箱内の香り成分を前記洗濯槽に供給する構成とすることにより、すすぎ行程時に、香り成分を水と一緒に投入するので、洗濯衣類に香りを付けることで洗濯終了時に異臭の抑制が可能になる。
【００１３】
第２の発明は、上記第１の発明において、前記連結経路の内径を一部細くしたことにより、香り成分が連結経路の中をゆっくりと時間を掛けて流れることで、香り成分がすすぎ行程で、容易に流出・排水されなくて洗濯衣類に残り、即ち、香り成分の効力を長時間に増大することができる。
【００１４】
第３の発明は、上記第１または第２の発明において、前記連結経路の前記香り成分収納箱と前記洗濯槽との間の部分に、前記洗濯槽から前記香り成分収納箱方向への流れを阻止できる逆止弁を設けたことにより、洗濯槽からの臭い、泡などの逆流を防止でき、香り成分の流入タイミングを調節できて、香り付けの時期、量を自由に制御できる。
【００１５】
以下、本発明の実施の形態について、図面を参照しながら説明する。なお、この実施の形態によって本発明が限定されるものではない。
【００１６】
（実施の形態１）
図１は、本発明の実施の形態１におけるドラム式洗濯機の縦断面図、図２は、同ドラム式洗濯機の洗剤収容容器部分の斜視図、図３は、図２のＡ−Ａで断面し矢印方向に見た断面図である。
【００１７】
図１に示すように、衣類を収容する収容槽４１は、有底円筒形に形成され、外周部に多数の通水孔４２が全面に設けられ、筐体４３内に揺動自在に支持された洗濯槽４４内に回転自在に配設されている。収容槽４１の回転中心に、傾斜方向に回転軸（回転中心軸）４５が設けられ、収容槽４１の軸心方向は、正面側から背面側に向けて下向きに傾斜させている。回転軸４５に、大プーリ４６、ベルト４７、小プーリ４８を介して、洗濯槽４４の背面側近傍に取り付けたモータ４９を連結し、収容槽４１を正転、逆転方向に回転駆動する。収容槽４１の傾斜角度は、たとえば１０度とする。
【００１８】
また、収容槽４１の内壁面には、衣類撹拌用の複数個の突起板５０を設けており、収容
槽４１を低速で回転させることにより、衣類を突起板５０で引っ掛けて上方に持ち上げた後、適当な高さで落下させるといった撹拌動作（タンブリング動作）を与えることによって、衣類の撹拌たたき洗い、および乾燥動作などを行なう。
【００１９】
上記の、収容槽４１、洗濯槽４４、モータ４９等により、振動系の洗濯槽ユニット５１が構成されている。
【００２０】
洗濯槽４４の正面側で筺体４３の上向き傾斜面に開口部を設け、開口部を扉体５２により開閉自在に覆い、扉体５２を開くことにより、衣類出入口５３を通して収容槽４１内に洗濯物を出し入れできるようにしている。また、洗濯槽ユニット５１は、筺体４３下方の防振部材５４および上方のばね体（図示せず）により揺動自在に防振支持され、洗濯槽４４の下部には排水経路５６の一端を接続し、排水経路５６の他端を排水弁（排水手段）５７に接続して、洗濯槽４４内の洗濯水を外部に排水する。
【００２１】
また、筺体４３の上部には、筺体４３を覆う天板６２が配設されており、天板６２の内方に、制御装置６３が配設されている。制御装置６３は、操作パネル部５９の入力設定手段（図示せず）により運転開始が設定されると、洗濯槽４４内の水位を検知する水位検知手段（図示せず）等からのデータを入力して、モータ４９、排水弁５７、洗濯槽４４に投入する洗濯水を制御する第１の制御弁５８、第２の制御弁８９などの動作を制御して、洗い、すすぎ、脱水、乾燥行程などの各行程を制御する。
【００２２】
筐体４３には、正面から見て左上部に、前後が長手方向の洗剤投入部６０が配設されており、洗剤を収容する洗剤収容容器６４と、第１の制御弁５８に接続されて、洗剤収容容器６４に給水する給水路６５に配管された注水蓋体６６と、洗剤収容容器６４が収納された洗剤投入部枠体６７などで構成されている。
【００２３】
前記洗剤投入部枠体６７は、上方に開口を有する有底の断面略コ字状箱体であり、前記注水蓋体６６の下方に配設されている。洗剤投入部枠体６７と注水蓋体６６との間に形成された空間部６８には、前記洗剤収容容器６４が収納され、筺体４３の前方より、引き出し自在となっている。
【００２４】
また、注水蓋体６６には、洗剤収容容器６４に給水する水の通水路となる通水空間部（図示せず）と、底面に多数の小孔を形成した注水口（図示せず）とが形成されており、注水口を介して洗剤収容容器６４に給水された水が、洗剤収容容器６４に収容された洗剤等（粉末合成洗剤、液体洗剤、液体仕上剤など）と混合され、洗剤投入部枠体６７の底部に形成された洗剤液供給路７０から洗濯槽給水経路６９を経由して、洗濯槽４４内に供給される。
【００２５】
また、筐体４３には、正面から見て左上部に、生乾き臭やカビ臭等の異臭を抑制防止する芳香剤等の香り成分を収容する香り成分収納箱９０が配設されている。香り成分収納箱９０の流入口（図示せず）は、第１の連結管９１ａ（連結経路）を介して洗濯槽４４への香り成分混合液の供給を制御する第２の制御弁８９に接続されており、香り成分収納箱９０の流出口（図示せず）は、第２の連結管９２（連結経路）によって洗濯槽給水経路６９に接続され洗濯槽４４に連通されている。
【００２６】
なお、本実施の形態では、第２の制御弁８９と洗濯槽４４を連結する連結経路を構成する第１の連結管９１ａと第２の連結管９２とは配管の内径を略同径としてある。
【００２７】
前記洗剤収容容器６４の詳細構成について、図２を参照して説明する。図２の斜視図において、洗剤収容容器６４は、収容容器本体７１、取っ手枠体７２、取っ手カバー７３お
よび収容部蓋体７４などから構成されている。なお、洗剤収容容器６４の内部構成を明確に示すため、図２では、収容部蓋体７４を上方に分解した状態で示してある。
【００２８】
収容容器本体７１には、長手方向の最後部側に粉末洗剤を投入する粉末洗剤収容部７５が、粉末洗剤収容部７５の前側に液体洗剤を投入する液体洗剤収容部（第１の収容部）７６が、そして最前部に液体仕上剤を投入する液体仕上剤収容部（第２の収容部）７７が形成されている。液体仕上剤収容部７７に対向する位置には、液体仕上剤を投入する液体仕上剤受入口７８が開口された前記収容部蓋体７４が、液体仕上剤収容部７７の上方を覆っている。
【００２９】
液体仕上剤収容部７７の底部には、筒状の液体仕上剤投入口７９が上方に向けて立設されていると共に、収容部蓋体７４には、液体仕上剤投入口７９を外方より覆い、下端が液体仕上剤収容部７７の底部に達する円筒形状の筒状突出部８０が下方に向けて形成されている。液体仕上剤収容部７７の底面部は、液体仕上剤投入口７９に向かって下方に傾斜している。
【００３０】
液体洗剤収容部７６の後角隅部には、液体洗剤が流れ出ていく流出口である液体洗剤流出口８１が形成されており、液体洗剤収容部７６の底面部は、液体洗剤流出口８１に向かって下方に傾斜している。また、液体洗剤収容部７６と液体仕上剤収容部７７との仕切り壁８５は、上方から見た平面形状で、液体洗剤流出口８１に向かって傾斜しており、液体洗剤収容部７６の底面部の傾斜と合わせて、液剤が液体洗剤流出口８１へ流れ込みやすいようになっている。
【００３１】
粉末洗剤収容部７５には、粉末洗剤が投入された際にこぼれ出ないように、洗剤落下防止板８２を粉末洗剤投入路８３との間に設け、粉末洗剤が洗剤投入部枠体６７へ落下するのを防止する。給水時には、注水蓋体６６から供給された水とともに洗剤液として洗剤落下防止板８２と粉末洗剤収容部７５との間に形成した流出溝８４より粉末洗剤投入路８３へ流出し、図１に示す洗剤投入部枠体６７の洗剤液供給路７０へ流れ、洗濯槽給水経路６９を経由して、洗濯槽４４内に供給される。
【００３２】
また、取っ手カバー７３は、上面部を軸部にして取っ手枠体７２と嵌合しており、上面部を軸に下面部が開閉自在になっており、取っ手カバー７３を奥側に押して開き、手を差し込んで洗剤収容容器６４を出し入れできるようになっている。
【００３３】
以上のように構成したドラム式洗濯機について、特に洗濯水および香り成分混合液供給の動作、作用を説明する。
【００３４】
図３の洗剤収容容器部分の断面図において、液体仕上剤収容部７７に投入された液体仕上剤は、すすぎ行程時に、注水蓋体６６から供給された水とともに、筒状突出部８０、液体仕上剤投入口７９、および筒状突出部８０の下端部に略コ字状に切り欠かれた液体洗剤流水口８６の構成により発生するサイフォン現象により、液体仕上剤投入口７９を通り、その下流に設けられた液体仕上剤投入路（投入路）８７へ流れ込み、図１に示す洗剤投入部枠体６７の洗剤液供給路７０へ流れ、洗濯槽給水経路６９を経由して、洗濯槽４４内に供給される。
【００３５】
液体洗剤収容部７６に投入された液体洗剤は、洗い行程の給水時に、注水蓋体６６から供給された水とともに、液体洗剤流出口８１から液体洗剤流出口底面部８８を通り、液体洗剤流出口底面部８８の下方に形成され、前述のように液体仕上剤が流れていく液体仕上剤投入路８７へ落ちて流れていき、以降は、液体仕上剤と同様の経路、つまり図１に示す洗剤投入部枠体６７の洗剤液供給路７０へ流れ、洗濯槽給水経路６９を経由して、洗濯槽
４４内に供給される。
【００３６】
粉末洗剤収容部７５に投入された粉末洗剤は、洗い行程の給水時に、注水蓋体６６から供給された水によって溶解希釈され、前述したように、流出溝８４より粉末洗剤投入路８３へ流出し、図１に示す洗剤投入部枠体６７の洗剤液供給路７０へ流れ、洗濯槽給水経路６９を経由して、洗濯槽４４内に供給される。
【００３７】
なお、液体洗剤収容部７６と液体仕上剤収容部７７との位置を前後に入れ替えた構成とし、注水蓋体６６から注水するタイミングを変えるようにしてもよい。
【００３８】
香り成分収納箱９０に投入された芳香剤等は、使用者の選択による必要性に応じて、すすぎ行程時に、第２の制御弁８９の駆動制御によって第１の連結管９１ａを介して供給された水と混合され、第２の連結管９２、洗濯槽給水経路６９を経由して、洗濯槽４４内に供給される。
【００３９】
すすぎ行程中に複数回のすすぎ動作が行われる場合は、最終のすすぎ動作時に第２の制御弁８９を駆動制御して香り成分を水と混合して洗濯槽４４内に供給するのが、異臭抑制防止の効果と芳香剤等の使用量節減の点から最も効率的である。
【００４０】
なお、本実施の形態では洗剤投入部６０に接続される第１の制御弁５８と香り成分収納箱９０に接続される第２の制御弁８９とを独立させて設けたが、流出口を２つ備え、流出先および流出停止を切り替え可能な１つの制御弁を使用することも可能である。
【００４１】
以上のように、本発明にかかるドラム式洗濯機は、香り成分収納箱９０の構成により、洗剤や仕上剤が一旦排水された後、洗濯終了直前に、すすぎ行程の最終段階で、香り成分を水と一緒に投入するので、異臭の抑制・防止が可能となり、洗濯仕上がり性能（生乾き臭やカビ臭等の、異臭抑制性能）を向上させたドラム式洗濯機を提供することができる。
【００４２】
（実施の形態２）
本発明の実施の形態２におけるドラム式洗濯機は、制御弁と洗濯槽を連結する連結経路の内径を一部細く形成したものである。他の構成は、上記実施の形態１と同じであり、詳細な説明は省略する。
【００４３】
図４は、本発明の実施の形態２におけるドラム式洗濯機の縦断面図である。図４に示すように、第１の連結管９１ｂの内径は、上記実施の形態１の第１の連結管９１ａの内径より小さく構成してある。すなわち、本実施の形態においては、第１の連結管９１ｂの内径は、第２の連結管９２の内径より小さく構成してある。このように、第２の制御弁８９と洗濯槽４４を連結する連結経路の内径を一部細くしたことにより、香り成分が第１の連結管９１ｂおよび第２の連結管９２の中をゆっくりと時間を掛けて流れる。これにより、香り成分がすすぎ行程で、容易に流出・排水されずに、洗濯衣類に残り、即ち、香り成分の効力を長時間に増大することができる。
【００４４】
なお、第２の制御弁８９と洗濯槽４４を連結する連結経路の内径を一部細く形成することを第２の連結管９２側に行っても同様の効果が得られる。
【００４５】
また、制御弁と洗濯槽を連結する連結経路の内径を一部細く形成する他の具体構成として、第１の連結管９１ｂの管壁の一部を内方へ絞り込んで管内に狭窄部を設けてもよい。あるいは、第１の連結管９１ｂの管壁の一部に内方への突出部を形成して管内に狭窄部を設けてもよい。
【００４６】
（実施の形態３）
本発明の実施の形態３におけるドラム式洗濯機は、図５の縦断面図に示すように、第２の連結管９２に逆止弁９３を設けたものである。逆止弁９３は、香り成分収納箱９０から洗濯槽４４方向へは液体および気体を流せるが、洗濯槽４４から香り成分収納箱９０方向へは液体および気体の流れを阻止できるものである。
【００４７】
このように、香り成分収納箱９０と洗濯槽４４とを連通させる第２の連結管９２に、逆止弁９３を設けたことにより、逆止弁９３の開閉を制御することによって洗濯槽４４からの臭い、泡などの逆流を防止でき、香り成分の流入タイミングを調節できて、香り付けの時期、量を自由に可変制御できる。
【００４８】
なお、本実施の形態は、ドラム式洗濯機を例に用いて説明したが、縦型洗濯機に採用することもできる。
【産業上の利用可能性】
【００４９】
以上のように、本発明にかかる洗濯機は、洗濯槽への給水を制御する制御弁と洗濯槽との間に香り成分収納箱を構成したことにより、異臭の抑制・防止が可能となり、洗濯仕上がり性能（生乾き臭やカビ臭等の、異臭抑制性能）を向上させることができるので、特に家庭用の洗濯機等として有用である。
【符号の説明】
【００５０】
４１  収容槽
４４  洗濯槽
５８  第１の制御弁
６０  洗剤投入部
６４  洗剤収容容器
６６  注水蓋体
６７  洗剤投入部枠体
６８  空間部
６９  洗濯槽給水経路
７５  粉末洗剤収容部
７６  液体洗剤収容部（第１の収容部）
７７  液体仕上剤収容部（第２の収容部）
８１  液体洗剤流出口（流出口）
８７  液体仕上剤投入路（投入路）
８９  第２の制御弁
９０  香り成分収納箱
９１ａ、９１ｂ  第１の連結管（連結経路）
９２  第２の連結管（連結経路）
９３  逆止弁
【図１】
2018046886.tif 000003
【図２】
2018046886.tif 000004
【図３】
2018046886.tif 000005
【図４】
2018046886.tif 000006
【図５】
2018046886.tif 000007
【図６】
2018046886.tif 000008